(57)【特許請求の範囲】
【請求項１】
表示窓を含む表示パネルを有するエレクトロフラッシュ装置において、
前記エレクトロフラッシュ装置に内蔵されるプリント基板の第１の面にコンバータ回路、ＣＰＵ回路等の回路部品を実装し、
前記プリント基板の前記第１の面とは異なる第２の面に表示部品を実装するとともに、前記エレクトロフラッシュ装置の機能をチェックするための信号チェック端子を設け、
前記プリント基板を、前記第２の面が前記表示パネルと正対するように配置し、前記表示パネルを着脱自在に構成するとともに、前記信号チェック端子を、前記第２の面上の、前記表示パネルの脱着により露出する領域に配置した
ことを特徴とするプリント基板を内蔵したエレクトロフラッシュ装置。
【請求項２】
前記信号チェック端子は機能診断チェックをおこなうデジタル信号チェック端子と、高圧回路部の状況診断をおこなうアナログ信号チェック端子であることを特徴とする請求項１に記載のプリント基板を内蔵したエレクトロフラッシュ装置。
【発明の詳細な説明】
【０００１】
【発明の属する技術分野】
本発明はフレキシブルプリント基板、もしくはハードプリント基板等のプリント基板を内蔵したエレックトロフラッシュ装置に関し、特に効率的にエレクトロフラッシュの機能チェックが可能であるエレクトロフラッシュ装置に関するものである。
【０００２】
【従来の技術】
従来よりエレクトロフラッシュ装置のケース内部にプリント基板を装着する場合にはリアケースの表示窓に正対する位置に表示部品と操作部品を実装し、逆の面にＣＰＵなどの回路部品を実装し、更にエレクトロフラッシュの機能をチェックするためのデジタル信号チェック端子とを設けていた。また、上記プリント基板上には電池室などの機構部品が配置されていた。
【０００３】
また、基板間の接続にはリード線またはフレキシブルプリント基板を用いていた組み立て完成後の機能チェック及び修理時の機能チェックを行う際はケースの分解、電池室の取り外しなどを行っていた。
【０００４】
図３は従来のエレクトロフラッシュ装置の説明図である。
【０００５】
図に示すようにエレクトロフラッシュは、外装筺体がフロントケース４０および表示窓と一体で分解不可能なリアケース４１により構成されていて、その上部分に反射傘４２が配設されており、放電管４３が内部に水平に保持されている。反射傘４２の前方にはエレクトロフラッシュの閃光を照射するための開口部が形成されており、この開口部には透明な材料からなる発光窓４４が取り付けられている。反射傘４２の後方に閃光の電荷を蓄積しておくメインコンデンサ４５が配設されている。メインコンデンサ４５の下方部には電池室４６が設けられている。
【０００６】
そして、電池室４６の前方にはＣＰＵ４７やトランス４８やサイリスタ４９等の部品を実装した回路基板５０が配設されている。上記電池室４６の後方部にエレクトロフラッシュの発光モード等の情報を表示するためにＬＥＤ５１、それら情報の設定、例えば機能選択としてモード、ズーム、テスト等の設定を行う操作ボタン５２を実装し、更にエレクトロフラッシュの機能チェックのためのチェック端子を配置した基板５３が配設されていて、表示窓５６を通して各種情報の確認をすることができる。
【０００７】
また、基板間の接続にはリード線またはフレキシブルプリント基板が用いられていた。
【０００８】
【発明が解決しようとする課題】
このように従来はケース内部の表示窓と反する面にチェック端子が設けられており、さらに該基板上に電池室などの機構部品が配置されていたためにエレクトロフラッシュの組み立て完成後の動作確認時の回路チェック及び修理時の回路チェュクではケースの分解及び電池ケースなどの部品を取り外す必要があり、作業効率が低下する傾向にあった。
【０００９】
更に、従来のようにリード線またはフレキシブルプリント基板によって基板間の接続を行う方式においては回路チェック時の分解及び再組み立ての際に該リード線またはフレキシブルプリント基板が電池ケースなどの部品に挟まる、もしくは引かれることによって切れる場合があった。
【００１０】
【課題を解決するための手段】
【００１１】
本発明を実施のエレクトロフラッシュ装置は、表示窓を含む表示パネルを有し、エレクトロフラッシュ装置に内蔵されるプリント基板の第１の面にコンバータ回路、ＣＰＵ回路等の回路部品を実装し、プリント基板の第１の面とは異なる第２の面に表示部品を実装するとともに、エレクトロフラッシュ装置の機能をチェックするための信号チェック端子を設け、プリント基板を、第２の面が前記表示パネルと正対するように配置し、表示パネルを着脱自在に構成するとともに、信号チェック端子を、第２の面上の、表示パネルの脱着により露出する領域に配置した構成としたものである。
【００１２】
【発明の実施の形態】
本発明は上述の構成によって表示パネルの着脱のみでエレクトロフラッシュ回路のアナログ部及びデジタル部の回路チェックを容易にし、更には回路チェック時及びチェック後の再組み立てを行う際に基板間の接続を行っているリード線の断線を防止することが可能であるといった特徴を有するプリント基板を内蔵したエレクトロフラッシュを提供する。
【００１３】
【実施例】
図１は本発明を適用したエレクトロフラッシュを示す断面図、図２はエレクトロフラッシュの分解斜視図である。
【００１４】
以下、本発明の一実施例を図１及び図２に基づいて説明する。
【００１５】
エレクトロフラッシュ装置はフロントケース２４とリアケース２５で構成され、その内部に放電管１２と反射傘１３からなる閃光発光部、そして、ＡＦ補助光発光部１７とレンズ１６で構成されるＡＦ補助光部、電池室１９、メインＣＰＵ２０等の回路部からなる本体部とで構成されている。
【００１６】
閃光発光部の放電管１２は閃光を発光するもので上記反射傘１３の内部の中央部近傍に水平に配置され、発光により発光窓１１を通り被写体を照射する。また、上記反射傘１３はズームに連動し、モータ１４の動作により放電管１２と共に前後に移動する。
【００１７】
一方、本体部は前面にＡＦ補助光用開口部が形成されており、この開口部には赤色透過な材料からなる発光窓１５が取り付けられている。上記本体部の内部の該発光窓１５の後方には補助光を収束させるレンズ１６とＡＦ補助光発光部１７が配置されている。本体上部には閃光用の電荷を蓄積しておく、メインコンデンサ１８が配置されており、該メインコンデンサ１８の下方部には電池室１９が設けられている。
【００１８】
そして、上記電池室１９の後方部にエレクトロフラッシュの各種制御を行うメインＣＰＵ２０やトランス２１等の電子部品からなるコンバータ回路の高圧回路部が実装された制御回路基板２３が配設されている。
【００１９】
この制御回路基板２３でリアプレート２２の表示窓２６に正対する位置にエレクトロフラッシュの発光モードを表示するためのＬＥＤ２７が実装されている。リアプレート２２は表示窓２６を有しており、リアケース２５に着脱自在に組み込まれている。そして、表示窓２６を通して発光モードを確認できるようになっている。また、上記モード設定等はリアケース２５の下方部に配置された操作ボタン２８の操作により行われる。
【００２０】
また、制御回路基板２３には上記リアケース２５に着脱自在に組み込まれたリアプレート２２と正対する面にはエレクトロフラッシュの機能をチェックするためのデジタル信号チェック端子ＣＨ１０，１１，１２とアナログ信号チェック端子ＣＨ２０，２１，２２が配置されている。また上記リアケース２５にはリアプレート２２が組み込まれており、上記リアプレートを取り外すことにより上記アナログ信号チェック端子ＣＨ２０，２１，２２、デジタル信号チェック端子ＣＨ１０，１１，１２を露出することができる。
【００２１】
前記アナログ信号チェック端子ＣＨ１０はトランス２１を用いて電源電圧を昇圧し、メインコンデンサ１８に供給する高圧回路部の動作確認用の端子である。
このアナログ信号チェック端子ＣＨ１０をチェックすることにより規定光量を発生することができるだけの電荷がメインコンデンサ１８に蓄えられているかを確認し、高圧回路部が正常に機能しているかどうかを確認する。
【００２２】
また、前記デジタル信号チェック端子ＣＨ２０はメインＣＰＵ２０の入出力信号の確認用の端子である。このデジタル信号チェック端子ＣＨ２０でメインＣＰＵ２０の信号を確認することでエレクトロフラッシュの各種機能が正常に機能しているか、もしくは動作が不完全な場合に、制御回路基板２３上のどの部品が異常であるかを確認し、不具合の原因がどの部品にあるかを確認でき、修理を行う際にも修理個所を特定することができる。
【００２３】
【発明の効果】
本発明によればエレクトロフラッシュの本体に内蔵するプリント基板において、機能チェック用のチェック端子をリアプレートの脱着により露出する領域に配置したプリント基板を、エレクトロフラッシュに組み込むことにより、従来のようにケース本体を分解することなく初期の機能チェックや修理の際の機能チェックを行うことができる。
【００２４】
また、従来のような分解作業が省略されたことにより、作業効率が向上する効果があり、さらに、分解組み立て時のリード線の断線も防止することができる。
【図面の簡単な説明】
【図１】本発明を適用したエレクトロフラッシュを示す断面図である。
【図２】本発明を適用したエレクトロフラッシュの分解斜視図である。
【図３】従来のエレクトロフラッシュ装置の断面である。
【符号の説明】
２０  メインＣＰＵ
２１  トランス
２２  リアプレート
２３  制御回路基板
２４  フロントケース
２５  リアケース
２６  表示窓
２７  ＬＥＤ
２８  操作ボタン
ＣＨ１０，１１，１２  デジタル信号チェック端子
ＣＨ２０，２１，２２  アナログ信号チェック端子
【図１】
0004562863.tif 000002
【図２】
0004562863.tif 000003
【図３】
0004562863.tif 000004